【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第1のデバイスによって、ワイヤレスチャネルの状態を測定するステップと、
前記ワイヤレスチャネルの前記測定した状態に基づいてパラメータのセットの関係についての情報を提供する、少なくとも1つのチャネルサイド情報フィードバックメッセージを生成するステップであって、パラメータの前記セットが、データレートパラメータと、誤り確率パラメータと、期限パラメータまたは送信リンクパラメータの少なくとも1つとを備え、パラメータの前記セットの少なくとも第1のパラメータが前記第1のデバイスに入力され、パラメータの前記セットの少なくとも第2のパラメータが少なくとも前記第1のパラメータに対して条件付けられて出力される、ステップと、
前記少なくとも1つのチャネルサイド情報フィードバックメッセージを第2のデバイスに送信するステップであって、前記少なくとも1つのチャネルサイド情報フィードバックメッセージが少なくとも前記第1のパラメータおよび少なくとも前記第2のパラメータを備える、ステップとを備える、方法。
【請求項２】
前記少なくとも1つのチャネルサイド情報フィードバックメッセージを生成するステップが、
パラメータの前記セットの残りのサブセット中の各パラメータの所与の値に基づいて、パラメータの前記セットの第1のサブセット中の各パラメータの値を推定するステップを備える、請求項1に記載の方法。
【請求項３】
前記残りのサブセットの少なくとも1つのパラメータの前記所与の値を、前記ワイヤレスチャネルを通じて受信するステップをさらに備える、請求項2に記載の方法。
【請求項４】
前記残りのサブセットの少なくとも1つのパラメータの前記所与の値を、前記第1のデバイスによって決定するステップをさらに備える、請求項2に記載の方法。
【請求項５】
前記少なくとも1つのチャネルサイド情報フィードバックメッセージが、前記第1のサブセットの少なくとも1つのパラメータの推定された値を備える、請求項2に記載の方法。
【請求項６】
前記第1のサブセットが、前記データレートパラメータを備え、前記残りのサブセットが、前記誤り確率パラメータと、前記期限パラメータと、前記送信リンクパラメータとを備える、請求項2に記載の方法。
【請求項７】
前記第1のサブセットが、前記誤り確率パラメータを備え、前記残りのサブセットが、前記データレートパラメータと、前記期限パラメータと、前記送信リンクパラメータとを備える、請求項2に記載の方法。
【請求項８】
前記第1のサブセットが、前記期限パラメータを備え、前記残りのサブセットが、前記誤り確率パラメータと、前記データレートパラメータと、前記送信リンクパラメータとを備える、請求項2に記載の方法。
【請求項９】
前記第1のサブセットが、前記送信リンクパラメータを備え、前記残りのサブセットが、前記誤り確率パラメータと、前記期限パラメータと、前記データレートパラメータとを備える、請求項2に記載の方法。
【請求項１０】
前記第1のサブセットが、前記データレートパラメータと前記送信リンクパラメータとを備え、前記残りのサブセットが、前記誤り確率パラメータと前記期限パラメータとを備える、請求項2に記載の方法。
【請求項１１】
前記第1のサブセットが、前記データレートパラメータと、前記期限パラメータと、前記送信リンクパラメータとを備え、前記残りのサブセットが、前記誤り確率パラメータを備える、請求項2に記載の方法。
【請求項１２】
前記残りのサブセットが、前記期限パラメータを備え、前記第1のサブセットの少なくとも1つのパラメータの値が、前記期限パラメータの複数の異なる所与の値に対して推定される、請求項2に記載の方法。
【請求項１３】
前記第1のサブセットが、前記誤り確率パラメータを備え、前記誤り確率パラメータの前記値が、複数の異なる無線リンクに基づいて推定される、請求項2に記載の方法。
【請求項１４】
前記複数の異なる無線リンクを、すべての可能性のある無線リンクのうちのサブセットとして選択するステップをさらに備える、請求項13に記載の方法。
【請求項１５】
前記誤り確率パラメータが、前記複数の異なる無線リンクを通じた同時の送信に基づく、請求項13に記載の方法。
【請求項１６】
前記期限パラメータが、信号の信号再送信と関連付けられるレイテンシに対応する、請求項1に記載の方法。
【請求項１７】
ワイヤレス通信のためのデバイスであって、
ワイヤレスチャネルの状態を測定するための手段と、
前記ワイヤレスチャネルの前記測定した状態に基づいてパラメータのセットの関係についての情報を提供する、少なくとも1つのチャネルサイド情報フィードバックメッセージを生成するための手段であって、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータに対して条件付けられて出力される、手段と、
前記少なくとも1つのチャネルサイド情報フィードバックメッセージを別のデバイスに送信するための手段であって、前記少なくとも1つのチャネルサイド情報フィードバックメッセージが少なくとも前記第1のパラメータおよび少なくとも前記第2のパラメータを備える、手段とを備える、デバイス。
【請求項１８】
前記少なくとも1つのチャネルサイド情報フィードバックメッセージを生成するための前記手段が、
パラメータの前記セットの残りのサブセット中の各パラメータの所与の値に基づいて、パラメータの前記セットの第1のサブセット中の各パラメータの値を推定するための手段を備える、請求項17に記載のデバイス。
【請求項１９】
前記残りのサブセットの少なくとも1つのパラメータの前記所与の値を、前記ワイヤレスチャネルを通じて受信するための手段をさらに備える、請求項18に記載のデバイス。
【請求項２０】
前記残りのサブセットの少なくとも1つのパラメータの前記所与の値を決定するための手段をさらに備える、請求項18に記載のデバイス。
【請求項２１】
前記少なくとも1つのチャネルサイド情報フィードバックメッセージが、前記第1のサブセットの少なくとも1つのパラメータの推定された値を備える、請求項18に記載のデバイス。
【請求項２２】
前記第1のサブセットが、前記データレートパラメータを備え、前記残りのサブセットが、前記誤り確率パラメータと、前記期限パラメータと、前記送信リンクパラメータとを備える、請求項18に記載のデバイス。
【請求項２３】
前記第1のサブセットが、前記誤り確率パラメータを備え、前記残りのサブセットが、前記データレートパラメータと、前記期限パラメータと、前記送信リンクパラメータとを備える、請求項18に記載のデバイス。
【請求項２４】
前記第1のサブセットが、前記期限パラメータを備え、前記残りのサブセットが、前記誤り確率パラメータと、前記データレートパラメータと、前記送信リンクパラメータとを備える、請求項18に記載のデバイス。
【請求項２５】
前記第1のサブセットが、前記送信リンクパラメータを備え、前記残りのサブセットが、前記誤り確率パラメータと、前記期限パラメータと、前記データレートパラメータとを備える、請求項18に記載のデバイス。
【請求項２６】
前記第1のサブセットが、前記データレートパラメータと前記送信リンクパラメータとを備え、前記残りのサブセットが、前記誤り確率パラメータと前記期限パラメータとを備える、請求項18に記載のデバイス。
【請求項２７】
前記第1のサブセットが、前記データレートパラメータと、前記期限パラメータと、前記送信リンクパラメータとを備え、前記残りのサブセットが、前記誤り確率パラメータを備える、請求項18に記載のデバイス。
【請求項２８】
前記残りのサブセットが、前記期限パラメータを備え、前記第1のサブセットの少なくとも1つのパラメータの値が、前記期限パラメータの複数の異なる所与の値に対して推定される、請求項18に記載のデバイス。
【請求項２９】
前記第1のサブセットが、前記誤り確率パラメータを備え、前記誤り確率パラメータの前記値が、複数の異なる無線リンクに基づいて推定される、請求項18に記載のデバイス。
【請求項３０】
前記複数の異なる無線リンクを、すべての可能性のある無線リンクのうちのサブセットとして選択するための手段をさらに備える、請求項29に記載のデバイス。
【請求項３１】
前記誤り確率パラメータが、前記複数の異なる無線リンクを通じた同時の送信に基づく、請求項29に記載のデバイス。
【請求項３２】
前記期限パラメータが、信号の信号再送信と関連付けられるレイテンシに対応する、請求項17に記載のデバイス。
【請求項３３】
プロセッサと、前記プロセッサと電子的に通信しているメモリと、前記メモリに記憶された命令とを備える、ワイヤレス通信のためのデバイスであって、前記命令が、
ワイヤレスチャネルの状態を測定し、
前記ワイヤレスチャネルの前記測定した状態に基づいてパラメータのセットの関係についての情報を提供する、少なくとも1つのチャネルサイド情報フィードバックメッセージを生成し、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータに対して条件付けられて出力され、
前記少なくとも1つのチャネルサイド情報フィードバックメッセージを別のデバイスに送信し、前記少なくとも1つのチャネルサイド情報フィードバックメッセージが少なくとも前記第1のパラメータおよび少なくとも前記第2のパラメータを備える、ように前記プロセッサによって実行可能である、デバイス。
【請求項３４】
前記少なくとも1つのチャネルサイド情報フィードバックメッセージを生成するように前記プロセッサによって実行可能な前記命令が、
パラメータの前記セットの残りのサブセット中の各パラメータの所与の値に基づいて、パラメータの前記セットの第1のサブセット中の各パラメータの値を推定するように、前記プロセッサによって実行可能な命令を備える、請求項33に記載のデバイス。
【請求項３５】
前記命令が、
前記残りのサブセットの少なくとも1つのパラメータの前記所与の値を、前記ワイヤレスチャネルを通じて受信するように、前記プロセッサによって実行可能である、請求項34に記載のデバイス。
【請求項３６】
前記命令が、
前記残りのサブセットの少なくとも1つのパラメータの前記所与の値を決定するように、前記プロセッサによって実行可能である、請求項34に記載のデバイス。
【請求項３７】
前記少なくとも1つのチャネルサイド情報フィードバックメッセージが、前記第1のサブセットの少なくとも1つのパラメータの推定された値を備える、請求項34に記載のデバイス。
【請求項３８】
前記第1のサブセットが、前記データレートパラメータを備え、前記残りのサブセットが、前記誤り確率パラメータと、前記期限パラメータと、前記送信リンクパラメータとを備える、請求項34に記載のデバイス。
【請求項３９】
前記第1のサブセットが、前記データレートパラメータと前記送信リンクパラメータとを備え、前記残りのサブセットが、前記誤り確率パラメータと前記期限パラメータとを備える、請求項34に記載のデバイス。
【請求項４０】
前記期限パラメータが、信号の信号再送信と関連付けられるレイテンシに対応する、請求項33に記載のデバイス。
【請求項４１】
命令を記憶するワイヤレス通信のためのコンピュータ可読記憶媒体であって、前記命令が、デバイスに、
ワイヤレスチャネルの状態を測定させ、
前記ワイヤレスチャネルの前記測定した状態に基づいてパラメータのセットの関係についての情報を提供する、少なくとも1つのチャネルサイド情報フィードバックメッセージを生成させ、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータに対して条件付けられて出力され、
前記少なくとも1つのチャネルサイド情報フィードバックメッセージを別のデバイスへ送信させるようにプロセッサによって実行可能であり、前記少なくとも1つのチャネルサイド情報フィードバックメッセージが少なくとも前記第1のパラメータおよび少なくとも前記第2のパラメータを備える、コンピュータ可読記憶媒体。
【請求項４２】
前記デバイスに、前記少なくとも1つのチャネルサイド情報フィードバックメッセージを生成させるように前記プロセッサによって実行可能な前記命令が、前記デバイスに、
パラメータの前記セットの残りのサブセット中の各パラメータの所与の値に基づいて、パラメータの前記セットの第1のサブセット中の各パラメータの値を推定させるように、前記プロセッサによって実行可能な命令を備える、請求項41に記載のコンピュータ可読記憶媒体。
【請求項４３】
前記命令が、前記デバイスに、
前記残りのサブセットの少なくとも1つのパラメータの前記所与の値を、前記ワイヤレスチャネルを通じて受信させるように、前記プロセッサによって実行可能である、請求項42に記載のコンピュータ可読記憶媒体。
【請求項４４】
ワイヤレス通信の方法であって、
ワイヤレスチャネルを通じてワイヤレス信号をデバイスに送信するステップと、
前記ワイヤレスチャネルの測定した状態に基づいてパラメータのセットの関係についての情報を提供する、少なくとも1つのチャネルサイド情報フィードバックメッセージを前記デバイスから受信するステップとを備え、パラメータの前記セットが、データレートパラメータと、誤り確率パラメータと、期限パラメータまたは送信リンクパラメータの少なくとも1つとを備え、パラメータの前記セットの少なくとも第1のパラメータが前記デバイスに入力され、パラメータの前記セットの少なくとも第2のパラメータが少なくとも前記第1のパラメータに対して条件付けられて出力され、前記少なくとも1つのチャネルサイド情報フィードバックメッセージが少なくとも前記第1のパラメータおよび少なくとも前記第2のパラメータを備える、方法。
【請求項４５】
前記少なくとも1つのチャネルサイド情報フィードバックメッセージが、パラメータの前記セットの残りのサブセット中の各パラメータの所与の値に基づく、パラメータの前記セットの第1のサブセット中の各パラメータの推定された値を備える、請求項44に記載の方法。
【請求項４６】
前記第1のサブセットまたは前記残りのサブセットの少なくとも1つを示すものを前記デバイスに送信するステップをさらに備える、請求項45に記載の方法。
【請求項４７】
前記残りのサブセットの少なくとも1つのパラメータの前記所与の値を前記デバイスに送信するステップをさらに備える、請求項45に記載の方法。
【請求項４８】
前記少なくとも1つのチャネルサイド情報フィードバックメッセージが、前記第1のサブセットの少なくとも1つのパラメータの推定された値を備える、請求項45に記載の方法。
【請求項４９】
前記第1のサブセットが、前記データレートパラメータを備え、前記残りのサブセットが、前記誤り確率パラメータと、前記期限パラメータと、前記送信リンクパラメータとを備える、請求項45に記載の方法。
【請求項５０】
前記第1のサブセットが、前記誤り確率パラメータを備え、前記残りのサブセットが、前記データレートパラメータと、前記期限パラメータと、前記送信リンクパラメータとを備える、請求項45に記載の方法。
【請求項５１】
前記第1のサブセットが、前記期限パラメータを備え、前記残りのサブセットが、前記誤り確率パラメータと、前記データレートパラメータと、前記送信リンクパラメータとを備える、請求項45に記載の方法。
【請求項５２】
前記第1のサブセットが、前記送信リンクパラメータを備え、前記残りのサブセットが、前記誤り確率パラメータと、前記期限パラメータと、前記データレートパラメータとを備える、請求項45に記載の方法。
【請求項５３】
前記第1のサブセットが、前記データレートパラメータと前記送信リンクパラメータとを備え、前記残りのサブセットが、前記誤り確率パラメータと前記期限パラメータとを備える、請求項45に記載の方法。
【請求項５４】
前記第1のサブセットが、前記データレートパラメータと、前記期限パラメータと、前記送信リンクパラメータとを備え、前記残りのサブセットが、前記誤り確率パラメータを備える、請求項45に記載の方法。
【請求項５５】
前記残りのサブセットが、前記期限パラメータを備え、前記第1のサブセットの少なくとも1つのパラメータの値が、前記期限パラメータの複数の異なる所与の値に対して推定される、請求項45に記載の方法。
【請求項５６】
前記第1のサブセットが、前記誤り確率パラメータを備え、前記誤り確率パラメータの値が、複数の異なる無線リンクに基づいて推定される、請求項45に記載の方法。
【請求項５７】
前記複数の異なる無線リンクが、すべての可能性のある無線リンクのうちのサブセットである、請求項56に記載の方法。
【請求項５８】
前記誤り確率パラメータが、前記複数の異なる無線リンクを通じた同時の送信に基づく、請求項56に記載の方法。
【請求項５９】
前記期限パラメータが、信号の信号再送信と関連付けられるレイテンシに対応する、請求項44に記載の方法。
【請求項６０】
ワイヤレス通信のためのデバイスであって、
ワイヤレスチャネルを通じてワイヤレス信号を別のデバイスに送信するための手段と、
前記ワイヤレスチャネルの測定した状態に基づいてパラメータのセットの関係についての情報を提供する、少なくとも1つのチャネルサイド情報フィードバックメッセージを他のデバイスから受信するための手段とを備え、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータに対して条件付けられて出力され、前記少なくとも1つのチャネルサイド情報フィードバックメッセージが少なくとも前記第1のパラメータおよび少なくとも前記第2のパラメータを備える、デバイス。
【請求項６１】
前記少なくとも1つのチャネルサイド情報フィードバックメッセージが、パラメータの前記セットの残りのサブセット中の各パラメータの所与の値に基づく、パラメータの前記セットの第1のサブセット中の各パラメータの推定された値を備える、請求項60に記載のデバイス。
【請求項６２】
前記第1のサブセットまたは前記残りのサブセットの少なくとも1つを示すものを前記他のデバイスに送信するための手段をさらに備える、請求項61に記載のデバイス。
【請求項６３】
前記残りのサブセットの少なくとも1つのパラメータの前記所与の値を前記他のデバイスに送信するための手段をさらに備える、請求項61に記載のデバイス。
【請求項６４】
前記少なくとも1つのチャネルサイド情報フィードバックメッセージが、前記第1のサブセットの少なくとも1つのパラメータの推定された値を備える、請求項61に記載のデバイス。
【請求項６５】
前記第1のサブセットが、前記データレートパラメータを備え、前記残りのサブセットが、前記誤り確率パラメータと、前記期限パラメータと、前記送信リンクパラメータとを備える、請求項61に記載のデバイス。
【請求項６６】
前記第1のサブセットが、前記誤り確率パラメータを備え、前記残りのサブセットが、前記データレートパラメータと、前記期限パラメータと、前記送信リンクパラメータとを備える、請求項61に記載のデバイス。
【請求項６７】
前記第1のサブセットが、前記期限パラメータを備え、前記残りのサブセットが、前記誤り確率パラメータと、前記データレートパラメータと、前記送信リンクパラメータとを備える、請求項61に記載のデバイス。
【請求項６８】
前記第1のサブセットが、前記送信リンクパラメータを備え、前記残りのサブセットが、前記誤り確率パラメータと、前記期限パラメータと、前記データレートパラメータとを備える、請求項61に記載のデバイス。
【請求項６９】
前記第1のサブセットが、前記データレートパラメータと前記送信リンクパラメータとを備え、前記残りのサブセットが、前記誤り確率パラメータと前記期限パラメータとを備える、請求項61に記載のデバイス。
【請求項７０】
前記第1のサブセットが、前記データレートパラメータと、前記期限パラメータと、前記送信リンクパラメータとを備え、前記残りのサブセットが、前記誤り確率パラメータを備える、請求項61に記載のデバイス。
【請求項７１】
前記残りのサブセットが、前記期限パラメータを備え、前記第1のサブセットの少なくとも1つのパラメータの値が、前記期限パラメータの複数の異なる所与の値に対して推定される、請求項61に記載のデバイス。
【請求項７２】
前記第1のサブセットが、前記誤り確率パラメータを備え、前記誤り確率パラメータの値が、複数の異なる無線リンクに基づいて推定される、請求項61に記載のデバイス。
【請求項７３】
前記複数の異なる無線リンクが、すべての可能性のある無線リンクのうちのサブセットである、請求項72に記載のデバイス。
【請求項７４】
前記誤り確率パラメータが、前記複数の異なる無線リンクを通じた同時の送信に基づく、請求項72に記載のデバイス。
【請求項７５】
前記期限パラメータが、信号の信号再送信と関連付けられるレイテンシに対応する、請求項60に記載のデバイス。
【請求項７６】
プロセッサと、前記プロセッサと電子的に通信しているメモリと、前記メモリに記憶された命令とを備える、ワイヤレス通信のためのデバイスであって、前記命令が、
ワイヤレスチャネルを通じてワイヤレス信号を別のデバイスに送信し、
前記ワイヤレスチャネルの測定した状態に基づいてパラメータのセットの関係についての情報を提供する、少なくとも1つのチャネルサイド情報フィードバックメッセージを他のデバイスから受信するように、前記プロセッサによって実行可能であり、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータに対して条件付けられて出力され、前記少なくとも1つのチャネルサイド情報フィードバックメッセージが少なくとも前記第1のパラメータおよび少なくとも前記第2のパラメータを備える、デバイス。
【請求項７７】
前記少なくとも1つのチャネルサイド情報フィードバックメッセージが、パラメータの前記セットの残りのサブセット中の各パラメータの所与の値に基づく、パラメータの前記セットの第1のサブセット中の各パラメータの推定された値を備える、請求項76に記載のデバイス。
【請求項７８】
前記命令が、
前記第1のサブセットまたは前記残りのサブセットの少なくとも1つを示すものを前記他のデバイスに送信するように、前記プロセッサによって実行可能である、請求項77に記載のデバイス。
【請求項７９】
前記命令が、
前記残りのサブセットの少なくとも1つのパラメータの前記所与の値を前記他のデバイスに送信するように、前記プロセッサによって実行可能である、請求項77に記載のデバイス。
【請求項８０】
前記少なくとも1つのチャネルサイド情報フィードバックメッセージが、前記第1のサブセットの少なくとも1つのパラメータの推定された値を備える、請求項77に記載のデバイス。
【請求項８１】
前記第1のサブセットが、前記データレートパラメータを備え、前記残りのサブセットが、前記誤り確率パラメータと、前記期限パラメータと、前記送信リンクパラメータとを備える、請求項77に記載のデバイス。
【請求項８２】
前記第1のサブセットが、前記データレートパラメータと前記送信リンクパラメータとを備え、前記残りのサブセットが、前記誤り確率パラメータと前記期限パラメータとを備える、請求項77に記載のデバイス。
【請求項８３】
前記期限パラメータが、信号の信号再送信と関連付けられるレイテンシに対応する、請求項76に記載のデバイス。
【請求項８４】
命令を記憶するワイヤレス通信のためのコンピュータ可読記憶媒体であって、前記命令が、デバイスに、
ワイヤレスチャネルを通じてワイヤレス信号を別のデバイスへ送信させ、
前記ワイヤレスチャネルの測定した状態に基づいてパラメータのセットの関係についての情報を提供する、少なくとも1つのチャネルサイド情報フィードバックメッセージを他のデバイスから受信させるように、プロセッサによって実行可能であり、パラメータの前記セットが、データレートパラメータと、誤り確率パラメータと、期限パラメータまたは送信リンクパラメータの少なくとも1つとを備え、パラメータの前記セットの少なくとも第1のパラメータが前記他のデバイスに入力され、パラメータの前記セットの少なくとも第2のパラメータが少なくとも前記第1のパラメータに対して条件付けられて出力され、前記少なくとも1つのチャネルサイド情報フィードバックメッセージが少なくとも前記第1のパラメータおよび少なくとも前記第2のパラメータを備える、コンピュータ可読記憶媒体。
【請求項８５】
前記少なくとも1つのチャネルサイド情報フィードバックメッセージが、パラメータの前記セットの残りのサブセット中の各パラメータの所与の値に基づく、パラメータの前記セットの第1のサブセット中の各パラメータの推定された値を備える、請求項84に記載のコンピュータ可読記憶媒体。
【請求項８６】
前記命令が、
前記第1のサブセットまたは前記残りのサブセットの少なくとも1つを示すものを前記デバイスに送信するように、前記プロセッサによって実行可能である、請求項85に記載のコンピュータ可読記憶媒体。
【請求項８７】
前記命令が、前記デバイスに、
前記残りのサブセットの少なくとも1つのパラメータの前記所与の値を前記他のデバイスへ送信させるように、前記プロセッサによって実行可能である、請求項85に記載のコンピュータ可読記憶媒体。